(57)【要約】【課題】操作者の音情報発生手段への接触による音情報発生手段の破損を回避することができると共に、画像形成装置の操作側から視た左右方向における設置面積が大きくなることを回避することができ、また、音情報発生手段から発する音声を操作者に聞かせ易くすることができる画像形成装置を提供する。【解決手段】画像形成装置は、操作部と、音声情報を発する音情報発生手段とを備えている。音情報発生手段は、操作部へ操作する操作側から視た左右方向における幅内であって操作側に配設されている。画像形成装置は、画像形成部と、操作部と、画像読取部と、画像形成部及び画像読取部の間にシートを排出する排出部と、音声情報を発する音情報発生手段とを備えている。画像形成部及び画像読取部の間の空間には、排出部を操作部への操作側に開放する開口部が設けられている。音情報発生手段は、空間内に設けられている。【選択図】図２
2020015244.tif 000002
【特許請求の範囲】
【請求項１】
操作部と、音声情報を発する音情報発生手段とを備えた画像形成装置であって、
前記音情報発生手段は、前記操作部へ操作する操作側から視た左右方向における幅内であって前記操作側に配設されていることを特徴とする画像形成装置。
【請求項２】
請求項１に記載の画像形成装置であって、
画像読取部をさらに備え、
前記音情報発生手段は、前記画像読取部の前記操作側に設けられていることを特徴とする画像形成装置。
【請求項３】
請求項２に記載の画像形成装置であって、
前記画像読取部の前記操作側には傾斜面が設けられ、
前記音情報発生手段は、前記画像読取部の前記傾斜面に沿って配設されていることを特徴とする画像形成装置。
【請求項４】
請求項３に記載の画像形成装置であって、
前記画像読取部の前記傾斜面は下向きに傾斜していることを特徴とする画像形成装置。
【請求項５】
請求項１から請求項４までの何れか１つに記載の画像形成装置であって、
画像形成部と、画像読取部と、前記画像形成部及び前記画像読取部の間にシートを排出する排出部と、前記画像形成部及び前記画像読取部の間に空間を設けるように前記画像読取部を支持する支持部とをさらに備え、
前記音情報発生手段は、前記支持部の前記操作側に配設されていることを特徴とする画像形成装置。
【請求項６】
請求項５に記載の画像形成装置であって、
前記支持部の前記操作側には傾斜面が設けられ、
前記音情報発生手段は、前記支持部の前記傾斜面に沿って配設されていることを特徴とする画像形成装置。
【請求項７】
請求項６に記載の画像形成装置であって、
前記支持部の前記傾斜面は上向きに傾斜していることを特徴とする画像形成装置。
【請求項８】
請求項１から請求項７までの何れか１つに記載の画像形成装置であって、
前記操作部は、画像形成装置本体から前記操作側に延出され、
前記音情報発生手段は、前記操作部の下側面及び／又は側面に配設されていることを特徴とする画像形成装置。
【請求項９】
請求項１から請求項８までの何れか１つに記載の画像形成装置であって、
画像形成部と、画像読取部と、前記画像形成部及び前記画像読取部の間にシートを排出する排出部と、前記画像形成部及び前記画像読取部の間に空間を設けるように前記画像読取部を支持する支持部とをさらに備え、
前記音情報発生手段は、前記画像形成部の上面に配設されていることを特徴とする画像形成装置。
【請求項１０】
画像形成部と、操作部と、画像読取部と、前記画像形成部及び前記画像読取部の間にシートを排出する排出部と、音声情報を発する音情報発生手段とを備えた画像形成装置であって、
前記画像形成部及び前記画像読取部の間の空間には、前記排出部を前記操作部への操作側に開放する開口部が設けられ、
前記音情報発生手段は、前記空間内に設けられていることを特徴とする画像形成装置。
【請求項１１】
請求項１０に記載の画像形成装置であって、
前記音情報発生手段は、前記空間内の前記画像読取部の底部に配設されていることを特徴とする画像形成装置。
【請求項１２】
請求項１０又は請求項１１に記載の画像形成装置であって、
前記音情報発生手段は、前記空間内の前記開口部側とは反対側の壁部に配設されていることを特徴とする画像形成装置。
【発明の詳細な説明】
【技術分野】
【０００１】
本発明は、複写機、複合機、プリンタ装置等の画像形成装置、特に、音声情報を発する音情報発生手段を備えた画像形成装置に関する。
【背景技術】
【０００２】
画像形成装置として、近年、音声情報を発する音情報発生手段（具体的にはスピーカー）を搭載したものが提案されている。
【０００３】
例えば、特許文献１には、音情報発生部が正面に向くように画像形成装置本体の右側面の外側に取り外し可能に第１音情報発生手段（音情報ガイダンススピーカー）を設け、音情報発生部が右側面に向くように画像形成装置本体の右側面の内側に第２音情報発生手段（ＦＡＸスピーカー）を設けられた画像形成装置が開示されている。また、特許文献２には、スピーカー（音情報発生手段）を操作パネルの上面に設けた画像形成装置が開示されている。
【先行技術文献】
【特許文献】
【０００４】
【特許文献１】特開２００６−１１５２９５号公報
【特許文献２】特開２００５−１４８１９９号公報
【発明の概要】
【発明が解決しようとする課題】
【０００５】
ところが、特許文献１に記載の画像形成装置では、第１音情報発生手段は画像形成装置本体の側面から突き出している。このため、操作者の接触によるスピーカーの破損や画像形成装置の操作部へ操作する操作側から視た左右方向における設置面積が大きくなるといった課題がある。また、特許文献２に記載の画像形成装置では、スピーカーから発する音声が上向きになるため、スピーカーから発する音声を操作者が聞きづらいといった課題がある。
【０００６】
そこで、本発明は、操作者の音情報発生手段への接触による音情報発生手段の破損を回避することができると共に、画像形成装置の操作側から視た左右方向における設置面積が大きくなることを回避することができ、また、音情報発生手段から発する音声を操作者に聞かせ易くすることができる画像形成装置を提供することを目的とする。
【課題を解決するための手段】
【０００７】
前記課題を解決するために、次の第１態様及び第２態様の画像形成装置を提供する。
【０００８】
（１）第１態様の画像形成装置
本発明に係る第１態様の画像形成装置は、操作部と、音声情報を発する音情報発生手段とを備えた画像形成装置であって、前記音情報発生手段は、前記操作部へ操作する操作側から視た左右方向における幅内であって前記操作側に配設されていることを特徴とする。
【０００９】
（２）第２態様の画像形成装置
本発明に係る第２態様の画像形成装置は、画像形成部と、操作部と、画像読取部と、前記画像形成部及び前記画像読取部の間にシートを排出する排出部と、音声情報を発する音情報発生手段とを備えた画像形成装置であって、前記画像形成部及び前記画像読取部の間の空間には、前記排出部を前記操作部への操作側に開放する開口部が設けられ、前記音情報発生手段は、前記空間内に設けられていることを特徴とする。
【発明の効果】
【００１０】
本発明によると、操作者の音情報発生手段への接触による音情報発生手段の破損を回避することができると共に、画像形成装置の操作側から視た左右方向における設置面積が大きくなることを回避することができ、また、音情報発生手段から発する音声を操作者に聞かせ易くすることが可能となる。
【図面の簡単な説明】
【００１１】
【図１】本発明の実施の形態に係る画像形成装置の概略構成を透視的に示す正面図である。
【図２】本実施の形態に係る画像形成装置の外観を示す正面図である。
【図３】本実施の形態に係る画像形成装置の外観を示す右側面図である。
【図４】本実施の形態に係る画像形成装置の外観の正面側を左斜め上方から見た斜視図である。
【図５】本実施の形態に係る画像形成装置の外観の正面側を左斜め下方から見た斜視図である。
【図６】本実施の形態に係る画像形成装置の外観の正面側を左斜め下方から見た斜視図である。
【図７】画像読取部における傾斜面部分の断面図である。
【図８】支持部における傾斜面部分の断面図である。
【発明を実施するための形態】
【００１２】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１３】
図１は、本発明の実施の形態に係る画像形成装置１００の概略構成を透視的に示す正面図である。図２及び図３は、それぞれ、本実施の形態に係る画像形成装置１００の外観を示す正面図及び右側面図である。図４は、本実施の形態に係る画像形成装置１００の外観の正面側を左斜め上方から見た斜視図である。図５は、本実施の形態に係る画像形成装置１００の外観の正面側を左斜め下方から見た斜視図である。図６は、本実施の形態に係る画像形成装置１００の外観の正面側を左斜め下方から見た斜視図である。図７は、画像読取部における傾斜面１３１部分の断面図である。図８は、支持部１５０における傾斜面１５１部分の断面図である。なお、図１から図８において、符号Ｘは左右方向を、符号Ｙは前後方向を、符号Ｚは上下方向を示している。
【００１４】
画像形成装置１００は、スキャナ機能、複写機能、プリンタ機能、およびファクシミリ機能等を有する複合機であり、画像読取装置によって読み取られた原稿の画像を外部に送信し（スキャナ機能に相当する）、また、読み取られた原稿の画像または外部から受信した画像をカラーもしくは単色で用紙（シート）に画像形成する（複写機能、プリンタ機能、およびファクシミリ機能に相当する）。
【００１５】
画像読取部１３０の上側には、画像読取部１３０に対して開閉自在に支持された原稿搬送部１６０（ＡＤＦ）が設けられている。原稿搬送部１６０が開かれると、画像読取部１３０の上方の原稿載置台１３０ａが開放され、原稿を手置きで置くことができるようになっている。また、原稿搬送部１６０は、載置された原稿を、画像読取部１３０に設けられた原稿通過部１３０ｂの上に自動で搬送する。画像読取部１３０は、載置された原稿または原稿搬送部１６０から搬送された原稿を読み取って画像データを生成する。
【００１６】
画像形成装置１００は、光走査装置１、現像装置２、感光体ドラム３（感光体の一例）、ドラムクリーニング装置４、帯電器５、中間転写ベルト７、定着部１２、用紙搬送路Ｓ、給紙カセット１８、胴内排出トレイ１４１等を備えている。
【００１７】
画像形成装置１００では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成装置１００の画像転写部５０には、４種類のトナー像を形成するための現像装置２、感光体ドラム３、ドラムクリーニング装置４、および帯電器５が４つずつ設けられ、それぞれがブラック、シアン、マゼンタ、およびイエローに対応付けられ、４つの画像ステーションＰａ、Ｐｂ、Ｐｃ、Ｐｄが構成されている。
【００１８】
ドラムクリーニング装置４は、感光体ドラム３の表面の残留トナーを除去および回収する。帯電器５は、感光体ドラム３の表面を所定の電位に均一に帯電させる。光走査装置１は、感光体ドラム３の表面を露光して静電潜像を形成する。現像装置２は、感光体ドラム３の表面の静電潜像を現像して、感光体ドラム３の表面にトナー像を形成する。上述した一連の動作によって、各感光体ドラム３の表面に各色のトナー像が形成される。
【００１９】
感光体ドラム３の上側には、中間転写ベルト７を介して中間転写ローラ６が配置されている。中間転写ベルト７は、転写駆動ローラ７ａおよび転写従動ローラ７ｂに張架され、矢符Ｃの方向へ周回移動し、ベルトクリーニング装置９によって残留トナーを除去および回収され、各感光体ドラム３の表面に形成された各色のトナー像が順次転写して重ね合わされて、中間転写ベルト７の表面にカラーのトナー像が形成される。
【００２０】
２次転写部１１の転写ローラ１１ａは、中間転写ベルト７との間にニップ域が形成されており、用紙搬送路Ｓを通じて搬送されて来た用紙をニップ域に挟み込んで搬送する。用紙は、ニップ域を通過する際に、中間転写ベルト７の表面のトナー像が転写されて定着部１２に搬送される。
【００２１】
定着部１２は、用紙を挟んで回転する定着ローラ３１および加圧ローラ３２を備えている。定着部１２は、定着ローラ３１および加圧ローラ３２の間にトナー像が転写された用紙を挟み込んで加熱および加圧し、トナー像を用紙に定着させる。
【００２２】
給紙カセット１８は、画像形成に使用する用紙を蓄積しておくためのカセットであり、光走査装置１の下側に設けられている。用紙は、用紙ピックアップローラ１６によって給紙カセット１８から引き出されて、用紙搬送路Ｓを通じて搬送され、２次転写部１１や定着部１２を経由し、排紙ローラ１７を介して胴内排出トレイ１４１へと搬出される。用紙搬送路Ｓには、用紙を一旦停止させて、用紙の先端を揃えた後、中間転写ベルト７と転写ローラ１１ａとの間のニップ域でのカラーのトナー像の転写タイミングに合わせて用紙の搬送を開始する用紙レジストローラ１４、用紙の搬送を促す搬送ローラ１３、および排紙ローラ１７が配置されている。
【００２３】
なお、図１では、給紙カセット１８が１つとされているがこれに限定されず、複数の給紙カセット１８を設けた構成とし、それぞれに異なる種類の用紙を蓄積してもよい。
【００２４】
また、用紙の表面だけでなく、裏面に画像形成を行う場合は、用紙を排紙ローラ１７から用紙反転経路Ｓｒへと逆方向に搬送して、用紙の表裏を反転させ、用紙を用紙レジストローラ１４へと再度導き、表面と同様にして裏面に画像形成を行い、用紙を胴内排出トレイ１４１へと搬出する。
【００２５】
画像形成装置１００は、画像形成部１１０と、操作部１２０（操作パネル）と、画像読取部１３０と、排出部１４０と、支持部１５０とを備えている。排出部１４０は、画像形成部１１０及び画像読取部１３０の間に用紙を排出する。支持部１５０は、画像形成部１１０及び画像読取部１３０の間に空間ＳＰを設けるように画像読取部１３０を支持する。詳しくは、画像形成装置１００は、空間ＳＰ（胴内空間）に用紙を排出する胴内排出部１４０ａを有する胴内排出型の画像形成装置である。支持部１５０は、画像形成装置本体１０１の左右方向Ｘにおける端部（右側端部）に設けられている。
【００２６】
画像形成装置本体１０１は、略直方体形状とされている。画像形成装置本体１０１の上面には、画像読取部１３０が設けられ、画像読取部１３０上には、原稿搬送部１６０が取り付けられている。また、操作部１２０は、画像読取部１３０に隣接しており、画像形成装置本体１０１の上面に設けられた画像読取部１３０の前面側に設けられている。ここで、前面側は、操作者が操作部１２０を操作する操作側である。操作部１２０には、ユーザに操作される各種キーと表示装置（液晶表示装置）とが設けられている。操作部１２０は、画像読取部１３０の左右方向Ｘにおける端部（具体的には右側端部）に設けられている。操作部１２０は、画像読取部１３０に対して上下方向Ｚに揺動（チルト）する構成とされている。詳しくは、操作部１２０は、左右方向Ｘに沿った回動軸線回りに回動可能に画像読取部１３０に設けられている。画像読取部１３０の操作側（前側）面の左右方向Ｘにおける操作部１２０に対応する対応領域以外の領域は該対応領域よりも所定量だけ突き出ている。
【００２７】
画像読取部１３０の下方には、空間ＳＰ及び支持部１５０を介して画像形成部１１０が設けられている。画像形成部１１０及び画像読取部１３０の間の空間ＳＰには、排出部１４０を操作部１２０への操作側（前側）に開放する開口部ＯＰが設けられている。画像形成部１１０の上面には、胴内排出トレイ１４１が設けられている。開口部ＯＰのサイズは、空間ＳＰの左右方向Ｘ及び上下方向Ｚのサイズと同等又は該サイズよりも大きくなっている。
【００２８】
画像形成装置１００の操作部１２０が設けられている側の面（操作側の面）が前面１００ａ（正面）とされている。画像形成装置１００の操作部１２０が設けられている側の面（前面１００ａ）とは反対側の面が後面１００ｂとされ、前面１００ａ（正面）から視て左側及び右側がそれぞれ左側面１００ｃ、右側面１００ｄとされている。
【００２９】
画像形成装置１００は、音声情報を発する音情報発生手段１０（１１〜１６）（スピーカー）を備えている。ここで、音声情報には、例えば、「印刷が完了しました」といった動作情報、「用紙が詰まりました」、「用紙が無くなりました」といった警報情報、「用紙タイプの設定を確認して下さい」、「原稿を取り忘れています」といった注意喚起情報、操作方法を案内する操作ガイダンス情報、故障等のエラー情報などの情報が含まれる。音情報発生手段１０は、画像形成装置１００のカバー部材の内側に１つ又は２つ以上設けられる。画像形成装置１００において、図示を省略したが、音情報発生手段１０の送音部に対向する部分のカバー部材には、音情報発生手段１０の送音部から発せられる音を通過させるための開口（複数のスリット又は複数の円形状の貫通穴）が設けられている。すなわち、音情報発生手段１０（スピーカー）は、以下の何れの実施形態も外装（筐体）の内側に配置され、開口を有している。
【００３０】
〔第１実施形態から第４実施形態〕
第１実施形態から第４実施形態では、音情報発生手段１０（１１〜１４）は、操作部１２０へ操作する操作側（前側）から視た左右方向Ｘにおける幅内であって操作側（前側）に配設されている。こうすることで、操作者が音情報発生手段１０（１１〜１４）に接触することがなく、これにより、音情報発生手段１０（１１〜１４）の破損を回避することができる。さらに、画像形成装置１００の操作側から視た左右方向Ｘにおける設置面積が大きくなることを回避することができる。しかも、音情報発生手段１０（１１〜１４）が操作側に配設されていることで、音情報発生手段１０（１１〜１４）から発する音声を操作者に聞かせ易くすることができる。
【００３１】
（第１実施形態）
第１実施形態において、音情報発生手段１０（１１）は、画像読取部１３０の操作側（前側）の内面（カバー部材の内面）に該操作側から音を出力するように設けられている。こうすることで、画像読取部１３０における空間を利用して音情報発生手段１０（１１）を配設することができる。この例では、画像読取部１３０の傾斜面１３１は、左右方向Ｘにおける他端部（具体的には左側端部）に設けられている。
【００３２】
第１実施形態において、画像読取部１３０の操作側（前側）には傾斜面１３１が設けられている。音情報発生手段１０（１１）は、画像読取部１３０の傾斜面１３１に沿って配設されていてもよい。こうすることで、音情報発生手段１０（１１）の指向特性の方向を画像読取部１３０の傾斜面１３１に交差（例えば直交又は略直交）する方向に向けることができる。これにより、音情報発生手段１０（１１）から発する音声を画像読取部１３０の傾斜面１３１に交差する方向に居る操作者に聞かせ易くすることができる。
【００３３】
第１実施形態において、画像読取部１３０の傾斜面１３１は下向きに傾斜している。これは、胴内排出部１４０ａに排紙された印刷済用紙を分かりやすくし操作者がとりやすくするために傾斜させている。音情報発生手段１０（１１）は、図７に示すように、傾斜面１３１に対して、音情報発生手段１０（１１）の音声を発生する面を上向きになるように配置されている。これは、操作者が音声を聞こえ易いように上向きにしている。
【００３４】
詳しくは、図７に示すように、傾斜面１３１の一部を構成する外装カバー１３３は、操作部１２０と左右方向Ｘで隣接している。外装カバー１３３は、画像形成装置本体１０１に対して、分離自在に形成されており、画像形成装置１００の組み立ての際に、外装カバー１３３を嵌め込む構造とされている。外装カバー１３３の内側面には、音情報発生手段１０（１１）が取り付けられる取付ガイド部１３１ｂが設けられている。つまり、音情報発生手段１０（１１）は、操作部１２０の近傍であって、略同じ高さに配置されている。
【００３５】
取付ガイド部１３１ｂは、傾斜面１３１の内側面から画像形成装置本体１０１の内側へ向かって突設されている。取付ガイド部１３１ｂは、内側面側から傾斜面１３１を視た際、略円筒状に形成されており、内側に音情報発生手段１０（１１）を収納する構造とされている。換言すると、取付ガイド部１３１ｂは、音情報発生手段１０（１１）の外縁に沿うようにガイド内側面１３１ｃが形成されている。
【００３６】
ガイド内側面１３１ｃには、音情報発生手段１０（１１）の前面外縁に接する角度決め部１３１ｄが形成されている。角度決め部１３１ｄは、ガイド内側面１３１ｃの複数箇所に設けられており、画像形成装置本体１０１の内側へ延伸された長さが異なるように適宜設定されている。具体的に、角度決め部１３１ｄは、上下方向Ｚで上方に設けられているものほど、端部が画像形成装置本体１０１の内側寄り（図７では、右方）に位置しており、上下方向Ｚで下方に設けられているものほど、端部が傾斜面１３１寄り（図７では、左方）に位置している。角度決め部１３１ｄに接するように音情報発生手段１０（１１）を取り付けた結果、音情報発生手段１０（１１）の前面は、上下方向Ｚにおいて、上方へ向かうに従って、傾斜面１３１から離間するように傾斜する。図７に示す第１補助線ＬＳは、音情報発生手段１０（１１）の前面に沿って延長した直線とされ、角度θａは、水平方向（図７では、前後方向Ｙ）に対して音情報発生手段１０（１１）の前面がなす角度を示している。
【００３７】
傾斜面１３１には、内部から外部へ貫通する音孔１３１ａが形成されている。音孔１３１ａは、長矩形状とされており、左右方向Ｘに沿うように長手方向が設定されている。また、音孔１３１ａは、上下方向Ｚで並べて複数設けられており、取付ガイド部１３１ｂで囲まれた領域に配置されている。従って、音孔１３１ａを設けた構造では、音情報発生手段１０（１１）から発せられた音が、音孔１３１ａを通って外部へ抜けていくので、操作者が音を聞き取りやすくすることができる。また、音孔１３１ａは、何れかの辺が隣り合う辺よりも長く形成された略長矩形状の長穴とされているので、開口している部分が広くなり、落下物等が内部へ侵入しづらい構造とすることができる。
【００３８】
また、傾斜面１３１は、上下方向Ｚに対しても傾斜した構造とされている。具体的に、傾斜面１３１は、上下方向Ｚにおいて、上方へ向かうにしたがって、外部へ突出するように傾斜している。図７に示す第２補助線ＬＫは、傾斜面１３１に沿って延長した直線とされ、角度θｂは、水平方向（図７では、前後方向Ｙ）に対して傾斜面１３１がなす角度を示している。なお、上下方向Ｚに対して傾斜させるのは、傾斜面１３１の一部であって、取付ガイド部１３１ｂが設けられた部分でよく、本実施の形態では、外装カバー１３３に傾斜を設けている。また、傾斜面１３１を傾斜させているので、埃や落下物等が音孔１３１ａを介して内部へ侵入することを防止できる。
【００３９】
なお、音情報発生手段１０（１１）は、水平方向に対し音情報発生手段１０（１１）の音声を発生する面（スピーカー前面）が下向きになるように配置されていてもよい。こうすることで、音情報発生手段１０（１１）から発する音声を画像読取部１３０の傾斜面１３１の下側に居る操作者（車椅子に座っている操作者）に聞かせ易くすることができる。また、この例では、傾斜面１３１としているが、傾斜面でなく垂直面とし、その垂直面に対し、音情報発生手段１０を下側に傾斜するように設けてもよい。
【００４０】
（第２実施形態）
第２実施形態において、音情報発生手段１０（１２）は、支持部１５０の操作側（前側）の内面（カバー部材の内面）に該操作側から音を出力するように配設されている。こうすることで、支持部１５０における空間を利用して音情報発生手段１０（１２）を配設することができる。
【００４１】
詳しくは、音情報発生手段１０（１２）は、操作部１２０と支持部１５０とは少なくとも左右方向Ｘにおいて重なるように配置され、更には、左右方向Ｘにおいて、操作部１２０と重なるように配置されている。そのため、例えば、操作部１２０の操作に応じて音情報発生手段１０（１２）からの音声情報（例えば、両面キーを設定すると「両面印刷機能が設定されました」といった音声）を発するので、操作者に操作と音声とが関係しあっていることを理解させることができる。これにより、操作部１２０の操作性を向上させることができる。
【００４２】
また、操作部１２０は、画像読取部１３０に対して上下方向Ｚに揺動（チルト）する構成としているが、支持部１５０に設けた音情報発生手段１０（１２）は、操作部１２０がチルトした時に、上下方向Ｚにおいて重ならないように配置されている。
【００４３】
第２実施形態において、支持部１５０の操作側（前側）には傾斜面１５１が設けられている。音情報発生手段１０（１２）は、支持部１５０の傾斜面１５１に沿って配設されている。こうすることで、音情報発生手段１０（１２）の指向特性の方向を支持部１５０の傾斜面１５１に交差（例えば直交又は略直交）する方向に向けることができる。これにより、音情報発生手段１０（１２）から発する音声を支持部１５０の傾斜面１５１に交差する方向に居る操作者に聞かせ易くすることができる。
【００４４】
第２実施形態において、支持部１５０の傾斜面１５１は上向きに傾斜している。こうすることで、音情報発生手段１０（１２）から発する音声を支持部１５０の傾斜面１５１の上側に居る操作者（立っている操作者）に聞かせ易くすることができる。
【００４５】
図８に示すように、音情報発生手段１０（１２）の音声を発生する面（スピーカー前面１０ａ）は、支持部１５０の傾斜面１５１に対して平行又は略平行が望ましい。なお、図８において、符号１５１ａは、音孔を示しており、符号１５１ｂは、取付ガイド部を示している。
【００４６】
（第３実施形態）
第３実施形態において、操作部１２０は、画像形成装置本体１０１から操作側（前側）に延出されている。音情報発生手段１０（１３）は、操作部１２０の下側面に該下側面から音を出力するように、及び／又は、側面に該側面から音を出力するように配設されている（図５参照）。こうすることで、上述したように、音情報発生手段１０（１３）から発する音声が操作者に操作と音声とが関係しあっていることを理解させることができる。これにより、操作部の操作性を向上させることができる。更に、操作部１２０の下側面及び／又は側面にある部材（例えば支持部１５０のカバー部材等）に反射させることができる。これにより、音情報発生手段１０（１３）から操作部１２０の下側面及び／又は側面にある部材に反射した音声を操作者に聞かせ易くすることができる。この例では、音情報発生手段１０（１３），１０（１３）は、下側面及び側面（具体的には左側面）からの音が下方の部材（支持部１５０のカバー部材等）に反射するように設けられている。
【００４７】
（第４実施形態）
第４実施形態において、音情報発生手段１０（１４）は、画像形成部１１０の上面１１１に該上面１１１から音を出力するように配設されている（図４参照）。
【００４８】
具体的には、音情報発生手段１０（１４）は、胴内排出トレイ１４１の前側であって、画像形成部１１０の上面１１１に設けられており、音情報発生手段１０（１４）の音声を発生する面（スピーカー前面）が上方向か、又は操作者側に傾けて向かうように配置されている。
【００４９】
こうすることで、音情報発生手段１０（１４）から発する音声を画像形成部１１０の上面１１１の上方に居る操作者（立っている操作者）に、「用紙が排出されました」といった音声を聞かせ易くすることができ、用紙の取り忘れを効果的に防止することができる。
【００５０】
〔第５実施形態及び第６実施形態〕
第５実施形態及び第６実施形態では、図２から図４及び図６に示すように、音情報発生手段１０（１５〜１６）は、空間ＳＰ内に設けられている。こうすることで、操作者が音情報発生手段１０（１５〜１６）に接触することがなく、これにより、音情報発生手段１０（１５〜１６）の破損を回避することができる。さらに、画像形成装置１００の操作側（前側）から視た左右方向Ｘにおける設置面積が大きくなることを回避することができる。しかも、音情報発生手段１０（１５〜１６）が空間ＳＰ内に設けられていることで、音情報発生手段１０（１５〜１６）から発する音声を該音声が空間ＳＰ内で発散させることなく開口部ＯＰから放出することができる。これにより、音情報発生手段１０（１５〜１６）から発する音声を操作者に聞かせ易くすることができる。
【００５１】
（第５実施形態）
第５実施形態において、音情報発生手段１０（１５）は、空間ＳＰ内の画像読取部１３０の底部１３２（底面）に該底部１３２から音を出力するように配設されている（図６参照）。こうすることで、音情報発生手段１０（１５）から発する音声を空間ＳＰ内にある部材（例えば画像読取部１３０の下カバー部材、胴内排出トレイ１４１等）に反射させて開口部ＯＰから放出させることができる。これにより、音情報発生手段１０（１５）から空間ＳＰにある部材に反射して開口部ＯＰから放出した音声を操作者に聞かせ易くすることができる。この例では、音情報発生手段１０（１５）は、画像読取部１３０の底部１３２の前後方向Ｙにおける前側及び後側の２箇所に左右方向Ｘにおいてずれるように設けられている。
【００５２】
なお、音情報発生手段１０（１５）は、音情報発生手段１０（１５）の音声を発生する面（スピーカー前面）が底部１３２の面とスピーカー前面とは平行又は略平行になるように配置されてもよいし、スピーカー前面が開口部ＯＰに向かうように傾斜させて配置されていてもよい。
【００５３】
（第６実施形態）
第６実施形態において、音情報発生手段１０（１６）は、空間ＳＰ内の開口部ＯＰ側とは反対側の壁部１４２の内面（カバー部材の内面）に該壁部１４２から音を出力するように配設されている（図４及び図６参照）。こうすることで、音情報発生手段１０（１６）から発する音声を壁部１４２から開口部ＯＰに向けて放出させることができる。これにより、壁部１４２における音情報発生手段１０（１６）から開口部ＯＰに向けて放出した音声を操作者に聞かせ易くすることができる。この例では、音情報発生手段１０（１５）は、壁部１４２の左右方向Ｘにおける中央部又は略中央部に設けられている。
【００５４】
なお、音情報発生手段１０（１６）は、音情報発生手段１０（１６）の音声を発生する面（スピーカー前面）が開口部ＯＰ側に向うように（壁部１４２の面とスピーカー前面とは平行又は略平行に）配置されていてもよい。
【００５５】
（その他の実施形態）
画像形成装置１００において、音情報発生手段１０（１）〜１０（１６）の送音部に対向する部分のカバー部材における開口は、斜め上方又は斜め下方に沿って貫通していてもよい。こうすることで、操作者に開口を見え難くすることができる。また、開口のサイズがカバー部材の厚み方向における外側に行くに従って小さくなっていてもよい。こうすることで、操作者に開口をさらに見え難くすることができる。
【００５６】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５７】
１０      音情報発生手段（スピーカー）
１００    画像形成装置
１００ａ  前面
１００ｂ  後面
１００ｃ  左側面
１００ｄ  右側面
１０１    画像形成装置本体
１１０    画像形成部
１１１    上面
１２０    操作部
１３０    画像読取部
１３１    傾斜面
１３２    底部
１４０    排出部
１４１    胴内排出トレイ
１４２    壁部
１５０    支持部
１５１    傾斜面
１６０    原稿搬送部
ＯＰ      開口部
ＳＰ      空間
Ｘ        左右方向
Ｙ        前後方向
Ｚ        上下方向
【図１】
2020015244.tif 000003
【図２】
2020015244.tif 000004
【図３】
2020015244.tif 000005
【図４】
2020015244.tif 000006
【図５】
2020015244.tif 000007
【図６】
2020015244.tif 000008
【図７】
2020015244.tif 000009
【図８】
2020015244.tif 000010